(57)【要約】      （修正有）【課題】長尺の全ネジに螺合されているナットを全ネジの下端側から全ネジの上端側に向けて上昇させ、所望の高さ位置において全ネジに締め付けることに適したレンチを提供する。【解決手段】本体の一方の端側に配備されている第一の回転体３と、当該本体の前記一方の端側から他方の端側に向かう位置に配備されている第四の回転体６と、当該本体の前記第一の回転体が配備されている位置と前記第四の回転体が配備されている位置との間に配備されている第二の回転体４及び第三の回転体５を有する。第四の回転体の装着孔に装着された回転治具の回転による前記第四の回転体の回転運動が、前記第二の回転体及び第三の回転体を介して前記第一の回転体に伝達される。【選択図】図１
0003153927.tif 000002
【実用新案登録請求の範囲】
【請求項１】
本体の一方の端側に配備されている第一の回転体と、当該本体の前記一方の端側から他方の端側に向かう位置に配備されている第四の回転体と、当該本体の前記第一の回転体が配備されている位置と前記第四の回転体が配備されている位置との間に配備されている第二の回転体及び第三の回転体を有し、
前記第一の回転体は、ネジ部に螺合しているナットに装着される装着部を備えていて、当該装着部の中心を第一の回転中心として回転可能に前記本体に配備され、前記装着部及び前記第一の回転体は、前記ネジ部が挿通可能な大きさを有する開口によって前記一方の端側に開放されており、
前記第四の回転体は、回転治具に装着される装着孔を内周に備えていて、当該装着孔の中心を前記第一の回転中心と平行に延びる第四の回転中心として回転可能に前記本体に配備され、
前記第二の回転体及び第三の回転体は、それぞれ前記第一の回転体及び前記第四の回転体より小径で、前記第一の回転中心と前記第四の回転中心とを結ぶ線に対して対称な位置に、それぞれの外周を前記第一の回転体の外周及び前記第四の回転体の外周に掛合させつつ、それぞれの中心を前記第一の回転中心及び前記第四の回転中心と平行に延びる第二の回転中心及び第三の回転中心として回転可能に前記本体に配備され、
前記第四の回転体の装着孔に装着された回転治具の回転による前記第四の回転体の回転運動が、前記第二の回転体及び第三の回転体を介して前記第一の回転体に伝達される
ことを特徴とする全ネジ締め付け用のレンチ。
【請求項２】
前記第四の回転体を回転不能にするストッパが前記本体に配備されていることを特徴とする請求項１記載の全ネジ締め付け用のレンチ。
【考案の詳細な説明】
【技術分野】
【０００１】
本考案は、建築物の天井に配管やダクト、空調機などを吊り下げるときに使用される長尺の全ネジにナットを締め付けるために使用されるレンチに関する。
【背景技術】
【０００２】
従来から建築物の天井に配管やダクト、空調機などを吊り下げるときには長尺の全ネジが使用されている。
【０００３】
この全ネジは図３に示すように上下方向に長い長尺であるため、ナットが全ネジに螺合する位置を所定の高さにするため、全ネジに螺合させたナットを全ネジの下端側（図３中、下側）から上端側（図３中、上側）に向けて締め付けていくのは容易ではかなった。
【０００４】
例えば、作業をする者が脚立などの上に立って、スパナなどの所定の工具を用い、当該工具で、全ネジに螺合しているナットの外周を打撃し、ナットを全ネジの周囲に回転させて、ナットが全ネジに螺合する位置を下端側から上端側に向けて上昇させていく等々の対応がなされていた。
【０００５】
このような作業は作業をする者にとって大きな負担であり、作業効率の面からも好ましくなかった。
【０００６】
従来から先端に開口を有するエアーレンチが知られていたが（例えば、特許文献１）、上下方向に長い長尺の全ネジに螺合されているナットを全ネジの下端側（図３中、下側）から上端側（図３中、上側）に向けて上昇させ、所望の高さ位置において全ネジに締め付けることに適したレンチは提案されていなかった。
【先行技術文献】
【特許文献】
【０００７】
【特許文献１】実公昭４９−１７５１６号公報
【考案の概要】
【考案が解決しようとする課題】
【０００８】
この考案は、上下方向に長い長尺の全ネジに螺合されているナットを全ネジの下端側から上端側に向けて上昇させ、所望の高さ位置において全ネジに締め付けることに適したレンチを提供することを目的にしている。
【課題を解決するための手段】
【０００９】
請求項１記載の考案は、
本体の一方の端側に配備されている第一の回転体と、当該本体の前記一方の端側から他方の端側に向かう位置に配備されている第四の回転体と、当該本体の前記第一の回転体が配備されている位置と前記第四の回転体が配備されている位置との間に配備されている第二の回転体及び第三の回転体を有し、
前記第一の回転体は、ネジ部に螺合しているナットに装着される装着部を備えていて、当該装着部の中心を第一の回転中心として回転可能に前記本体に配備され、前記装着部及び前記第一の回転体は、前記ネジ部が挿通可能な大きさを有する開口によって前記一方の端側に開放されており、
前記第四の回転体は、回転治具に装着される装着孔を備えていて、当該装着孔の中心を前記第一の回転中心と平行に延びる第四の回転中心として回転可能に前記本体に配備され、
前記第二の回転体及び第三の回転体は、それぞれ前記第一の回転体及び前記第四の回転体より小径で、前記第一の回転中心と前記第四の回転中心とを結ぶ線に対して対称な位置に、それぞれの外周を前記第一の回転体の外周及び前記第四の回転体の外周に掛合させつつ、それぞれの中心を前記第一の回転中心及び前記第四の回転中心と平行に延びる第二の回転中心及び第三の回転中心として回転可能に前記本体に配備され、
前記第四の回転体の装着孔に装着された回転治具の回転による前記第四の回転体の回転運動が、前記第二の回転体及び第三の回転体を介して前記第一の回転体に伝達される
ことを特徴とする全ネジ締め付け用のレンチである。
【００１０】
請求項２記載の考案は、
前記第四の回転体を回転不能にするストッパが前記本体に配備されていることを特徴とする請求項１記載の全ネジ締め付け用のレンチである。
【考案の効果】
【００１１】
この考案によれば、建築物の天井に配管やダクト、空調機などを吊り下げるときに使用される上下方向に長い長尺の全ネジに螺合されているナットを、全ネジの下端側から上端側に向けて上昇させ、所望の高さ位置において全ネジに締め付けることに適したレンチを提供することができる。
【図面の簡単な説明】
【００１２】
【図１】本考案のレンチの概略内部構造の一例を説明する平面図。
【図２】図１の断面図。
【図３】本考案のレンチが使用される状態を説明する側面図。
【考案を実施するための形態】
【００１３】
添付図面を参照しつつ考案を実施するための形態を説明する。
【００１４】
本考案のレンチ１は、金属製あるいは合成樹脂製の本体２に、第一の回転体３、第二の回転体４、第三の回転体５、第四の回転体６が配備されているものである。
【００１５】
第一の回転体３は、本体２の一方の端側（図１中、左端側）に配備されている。第四の回転体６は、本体２の一方の端側（図１中、左端側）から他方の端側（図１中、右端側）に向かう位置に配備されている。第二の回転体４、第三の回転体５は、図１図示のように、本体２の第一の回転体３が配備されている位置と第四の回転体６が配備されている位置との間に配備されている。
【００１６】
第一の回転体３は、ネジ部２１に螺合しているナット２２に装着される装着部７を備えている。第一の回転体３は、装着部７の中心を第一の回転中心８として矢印３０で示すように回転可能に本体２に配備されている。装着部７及び第一の回転体３は、ネジ部２１が挿通可能な大きさを有する開口９によって、図１図示のように、一方の端側（図１中、左端側）に開放されている。
【００１７】
第四の回転体６は、回転治具に装着される装着孔１０を内側に備えている。第四の回転体６は、装着孔１０の中心を第一の回転中心８と平行に延びる第四の回転中心１１として、矢印３１で示すように、回転可能に本体２に配備されている。
【００１８】
第二の回転体４、第三の回転体５は、図１図示のように、いずれも第一の回転体３及び第四の回転体６より小径になっている。
【００１９】
第二の回転体４、第三の回転体５は、図１図示のように、第一の回転中心８と第四の回転中心１１とを結ぶ線に対して対称な位置に配備されている。
【００２０】
第二の回転体４、第三の回転体５は、図１図示のように、それぞれの外周を第一の回転体３の外周及び第四の回転体６の外周に掛合させつつ、それぞれの中心を第一の回転中心８及び第四の回転中心１１と平行に延びる第二の回転中心１２及び第三の回転中心１３として矢印３２、３３で示すように回転可能に本体２に配備されている。
【００２１】
本考案のレンチ１では、第四の回転体６が第四の回転中心１１を中心として矢印３１方向に回転すると、それぞれの外周が第四の回転体６の外周に掛合している第二の回転体４及び、第三の回転体５が、それぞれ、第二の回転中心１２、第三の回転中心１３を中心として矢印３２、３３方向に回転する。
【００２２】
この第二の回転体４及び、第三の回転体５の回転運動により、第二の回転体４及び第三の回転体５の外周がその外周に掛合している第一の回転体３も第一の回転中心８を中心として矢印３０方向に回転する。
【００２３】
このように本考案のレンチ１では、第四の回転体６の回転運動が、第二の回転体４、第三の回転体５を介して第一の回転体３に伝達される。
【００２４】
本考案のレンチ１は次のようにして使用する。
【００２５】
図３図示のように建築物の天井２０から下端が下側方向に向かって延びている長尺の全ネジ等のネジ部２１の下端側に螺合しているナット２２をレンチ１の装着部７に装着する。レンチ１は、図１中、左端側にネジ部２１が挿通可能な大きさを有する開口９を備えているので、図３中、右方向から左方向に向けて矢印３５で示すようにレンチ１を移動させ、ネジ部２１を開口９を介して装着部７の内部空間７ａに装入する。ついで、レンチ１を矢印３５で示すように上側方向に向けて移動させ、ナット２２をレンチ１の装着部７の内部空間７ａに装着する。
【００２６】
次に、回転治具、例えば、回転ドリル２３の回転ロッド２４を第四の回転体６の装着孔１０に装着する。
【００２７】
ここで、回転ドリル２３を作動させて回転ロッド２４を矢印３１方向に回転させると、装着孔１０に回転ロッド２４が装着されている第四の回転体６は、第四の回転中心１１を中心として矢印３１方向に回転する。この第四の回転体６の回転運動は前述したようにして第一の回転体３に伝達され、第一の回転体３は第一の回転中心８を中心として矢印３０方向に回転する。
【００２８】
これにより、ナット２２は装着部７に装着されている状態で、ネジ部２１の周囲を矢印３０方向に回転し、図３に矢印３４で示すようにネジ部２１を上昇していく。
【００２９】
こうして、ナット２２がネジ部２１の下端側から上端側に向けて上昇し、所望の高さ位置になったならば、回転ドリル２３の作動を中止する。
【００３０】
そして、回転ドリル２３の回転ロッド２４が第四の回転体６の装着孔１０に装着されている状態でレンチ１を矢印３７で示すように下側に移動させ、次いで、矢印３８方向に移動させてネジ部２１から抜き取る。
【００３１】
こうして、長尺の全ネジ等のネジ部２１に螺合されているナット２２を、簡単に、ネジ部２１の下端側からネジ部２１の上端側に向けて上昇させ、所望の高さ位置においてネジ部２１に締め付けることができる。
【００３２】
本考案のレンチ１は第四の回転体６を回転不能にするストッパ１４を本体２に備えている。
【００３３】
図示の実施形態では、本体２に備えられている軸１５に遊嵌されていて、軸１５の回りで矢印４０、４１方向に回動可能、かつ、矢印３９方向及びその逆方向に微小に移動可能なストッパ１４が配備されている。
【００３４】
図１図示の様態ではストッパ１４はスプリング１６の働きによって矢印３９方向に押され、先端部１４ａ、１４ｂが第四の回転体６の外周に掛合している。これにより、第四の回転体６は、第四の回転中心１１を中心とした矢印３１方向への回転ができなくなっている。
【００３５】
そこで、この状態では一般のレンチとして本発明のレンチ１を使用することができる。
【００３６】
また、図３に図示し、上述したように使用するときには、スプリング１６に抗してストッパ１４を矢印３９と反対の方向に若干移動させ、先端部１４ａ、１４ｂの第四の回転体６外周への掛合状態を解除し、この状態で、ストッパ１４の位置を固定する。こうして、第四の回転体６が、第四の回転中心１１を中心とした矢印３１方向へ自由に回転できるようにして使用する。
【００３７】
前記では、本体２は金属製あるいは合成樹脂製としたが、第一の回転体３、第二の回転体４、第三の回転体５、第四の回転体６、ストッパ１４も金属製あるいは合成樹脂製にすることができる。
【００３８】
上記の使用に耐え得る強度を有する合成樹脂製にすることによって計量化し、使い勝手をよくすることができる。
【００３９】
以上、添付図面を参照して本考案の実施形態、実施例を説明したが本考案はこれらに限られるものではなく、実用新案登録請求の範囲の記載から把握される技術的範囲において種々の形態に変更可能である。
【符号の説明】
【００４０】
１  レンチ
２  本体
３  第一の回転体
４  第二の回転体
５  第三の回転体
６  第四の回転体
７  装着部
８  第一の回転中心
９  開口
１０  装着孔
１１  第四の回転中心
１２  第二の回転中心
１３  第三の回転中心
１４  ストッパ
２１  ネジ部
２２  ナット
【図１】
0003153927.tif 000003
【図２】
0003153927.tif 000004
【図３】
0003153927.tif 000005